(57)【要約】【課題】画像データの向きと用紙の向きとが不一致である場合、用紙の種類に応じてより好ましい印刷を適宜自動的に選択する画像形成装置を提供する。【解決手段】読み込んだ画像データから、その画像データに基づいて生成される画像の縦横サイズに関する情報を取得すると共に、印刷に使用される給紙トレイについての用紙情報のうち、用紙の向きを示す情報を取得する（Ｓ１１０〜Ｓ１３０）。画像の縦横サイズから特定される画像の向きと、取得した用紙の向きとが不一致である場合、印刷に使用する用紙のサイズ又材質のいずれか一方でも、その優先情報がサイズ優先に該当すれば、画像の向きを用紙の向きに一致させるデータ変換処理を実行後、印刷を実行する。これに該当しなければ、データ変換処理を実行することなく、画像の向きが用紙の向きと不一致のまま印刷を実行する（Ｓ１４０〜Ｓ２１０）。【選択図】図４
2007235361.tif 000002
【特許請求の範囲】
【請求項１】
画像データを入力する入力手段と、
該入力手段により入力された画像データに基づく画像を記録媒体に印刷する印刷手段と、
前記入力手段により入力された画像データが表す画像の向きを特定する画像方向特定手段と、
前記印刷手段が印刷に用いる記録媒体の向きを特定する媒体方向特定手段と、
前記画像方向特定手段にて特定された前記画像の向きと、前記媒体方向特定手段にて特定された前記印刷媒体の向きとが不一致である場合に、両者の向きが一致するように前記画像データを変換する変換手段と、
前記印刷手段が印刷に用いる記録媒体の種類を特定する媒体特定手段と、
前記媒体特定手段にて特定された記録媒体の種類が、指定種類以外のものである場合、前記変換手段の動作を禁止する禁止手段と、
を備えることを特徴とする画像形成装置。
【請求項２】
前記指定種類を指定する指定手段を備えることを特徴とする請求項１に記載の画像形成装置。
【請求項３】
前記記録媒体の種類は、前記記録媒体のサイズであることを特徴とする請求項１又は請求項２に記載の画像形成装置。
【請求項４】
前記禁止手段は、前記記録媒体のサイズが指定サイズより小さいものを前記指定種類として扱うことを特徴とする請求項３に記載の画像形成装置。
【請求項５】
前記記録媒体の種類は、前記記録媒体の材質であることを特徴とする請求項１乃至請求項４のいずれかに記載の画像形成装置。
【請求項６】
前記禁止手段は、前記記録媒体の材質が写真用紙からなるものを前記指定種類として扱うことを特徴とする請求項５に記載の画像形成装置。
【請求項７】
前記媒体特定手段は、外部からの入力情報により前記記録媒体の種類を特定することを特徴とする請求項１乃至請求項６のいずれかに記載の画像形成装置。
【請求項８】
前記入力手段は、当該画像形成装置に着脱自在に装着される外部記憶装置から前記画像データを入力することを特徴とする請求項１乃至請求項７のいずれかに記載の画像形成装置。
【発明の詳細な説明】
【技術分野】
【０００１】
本発明は、入力された画像データに基づく画像を記録媒体に印刷する画像形成装置に関する。
【背景技術】
【０００２】
従来より、デジタルカメラの内蔵メモリや、デジタルカメラに着脱可能に装着される各種記憶メディア（外部記憶装置）に保存された画像データを、パーソナルコンピュータ等を介することなく直接読み込んで印刷するいわゆるダイレクト印刷機能を備えた画像形成装置が知られている。
【０００３】
この種の画像形成装置では、読み込んだ画像データに含まれる付加情報に基づいて、画像データが表す画像の向き（短辺，長辺の方向）を特定し、この画像の向きと印刷用紙の向きとが一致するように、画像の向きを回転させて印刷することが行われている（例えば、特許文献１参照。）。
【特許文献１】特開２００５−３０５８６７号公報
【発明の開示】
【発明が解決しようとする課題】
【０００４】
しかし、特許文献１に記載の装置では、画像の向きと印刷用紙の向きとを無理して一致させる必要がない場合や、高速な印刷を望むような場合でも、画像の向きと印刷用紙の向きとが不一致であれば、必ず、画像を回転させるための処理が実行されてしまうため、印刷を開始するまでに要する時間が増大し、使い勝手が悪いという問題があった。
【０００５】
本発明は、上記問題点を解決するために、画像データの向きと用紙の向きとが不一致である場合、用紙の種類に応じてより好ましい印刷を自動的に選択する画像形成装置を提供することを目的とする。
【課題を解決するための手段】
【０００６】
上記目的を達成するためになされた本発明の画像形成装置では、入力手段が画像データを入力すると、印刷手段が、その入力された画像データに基づく画像を記録媒体に印刷する。
【０００７】
この時、画像方向特定手段が、入力手段により入力された画像データが表す画像の向きを特定すると共に、媒体方向特定手段が、印刷手段が印刷に用いる記録媒体の向きを特定する。そして、変換手段が、これら画像方向特定手段にて特定された向きと、媒体方向特定手段にて特定された向きとが不一致である場合に、両者の向きが一致するように画像データを変換する。なお、ここで画像や記録媒体の向きを一致させるとは、両者の短辺及び長辺の向きを一致させることを意味する。
【０００８】
また、媒体特定手段が、印刷手段が印刷に用いる記録媒体の種類を特定し、その特定された記録媒体の種類が、指定種類以外のものである場合、禁止手段が、変換手段の動作を禁止する。
【０００９】
つまり、印刷に用いる記録媒体の種類が指定種類に該当する場合、変換手段の動作が許容されるため、常に、画像の向きと記録媒体の向きとが一致した印刷（以下「サイズ優先印刷」という）が実行される。一方、記録媒体の種類が指定種類に該当しない場合、変換手段の動作が禁止されるため、画像の向きと記録媒体の向きとが不一致であっても、不一致のまま印刷が実行、即ち、必要最小限の時間で印刷（以下「速度優先印刷」という）が実行される。
【００１０】
このように、本発明の画像形成装置では、画像データの向きと記録媒体の向きとが不一致である場合、両者の向きを常に一致させて印刷するのではなく、記録媒体の種類が指定種類の場合だけ両者の向きを一致させている。従って、サイズ優先印刷が必要な記録媒体の種類を指定種類とするか、或いは、速度優先印刷が必要な記録媒体を指定種類から外すことにより、記録媒体の種類に応じた好ましい印刷方法にて印刷を実行することができる。
【００１１】
ところで、本発明の画像形成装置は、指定手段によって指定種類を指定できるように構成されていてもよい。この場合、記録媒体の種類に応じた印刷方法を、ユーザが任意に指定することができる。
【００１２】
また、記録媒体の種類は、具体的には、例えば、記録媒体のサイズや記録媒体の材質によって分類することが考えられる。
そして、記録媒体の種類として、記録媒体のサイズを採用した場合、記録媒体のサイズが指定サイズより小さいものを指定種類として扱うように禁止手段を構成してもよい。
【００１３】
つまり、記録媒体が小さい場合には、印刷された画像を見やすくするために可能な限り大きく印刷することが望ましく、そのためには、画像の向きと記録媒体の向きとを一致させる必要があるためである。
【００１４】
なお、指定種類とするか否かを、記録媒体のサイズ毎に個々に指定してもよいが、このような指定サイズを設けることにより、しきい値となる指定サイズを一つだけ指定すればよいため、指定種類の指定を簡単に行うことができる。
【００１５】
また、記録媒体のサイズは、記録媒体が長方形の場合は、長辺又は短辺のいずれか一方、或いは面積（長辺×短辺）で表せばよい。
一方、記録媒体の種類として、記録媒体の材質を用いた場合、記録媒体の材質が写真用紙からなるものを指定種類として扱うように禁止手段を構成してもよい。
【００１６】
つまり、記録媒体の材質が写真用紙からなる場合には、一般的には、写真印刷をするものと考えられ、また、写真印刷では、速度優先印刷よりもサイズ優先印刷が望ましいとされる可能性が高い。従って、本発明によれば、ユーザの要求に適合した印刷方法での印刷を実現することができる。
【００１７】
なお、ここでいう写真用紙とは、用紙の表面を特殊な薬品でコーティングすることで、インクの吸収を調整した光沢紙等のことである。
ところで、本発明の画像形成装置において、媒体特定手段は、センサ等を用いて記録媒体の種類を自動的に検出するように構成することも考えられるが、外部からの入力情報により記録媒体の種類を特定するように構成してもよい。
【００１８】
このように構成された本発明の画像形成装置によれば、外部からの入力情報を用いているため、センサを設ける必要がなく、簡易な構成にて確実に記録媒体の種類を特定することができる。
【００１９】
また、本発明の画像形成装置において、入力手段を、当該画像形成装置に着脱可能に装着される外部記憶装置から画像データを入力するように構成してもよい。
この場合、外部記憶装置として、例えば、ＵＳＢケーブルを介して接続されるデジタルカメラ等に内蔵されたメモリや、デジタルカメラ等に着脱可能に装着され、撮影された画像データを記憶する各種メモリを用いることにより、本発明の画像形成装置を、いわゆるダイレクト印刷機能を有するものとして構成することができる。
【発明を実施するための最良の形態】
【００２０】
以下に本発明の実施形態を図面と共に説明する。
図１は、実施形態の複合機１の外観を示す斜視図、図２は複合機１の各部を制御する制御部８の構成を示すブロック図である。
＜複合機の全体構成＞
図１に示すように、複合機１は、下側本体２ａに対して上側本体２ｂを開閉可能に取り付けてなるクラムシェル型の開閉構造を有した本体２を備えている。なお、下側本体２ａには、インクジェットプリンタとしての機能を実現する画像形成部３（印刷手段の一例）が組み込まれ、上側本体２ｂには、スキャナとしての機能を実現する画像読取部５が組み込まれている。
【００２１】
このうち、複合機１の下側本体２ａに組み込まれた画像形成部３は、複合機１の背面側に装着される二つの給紙トレイ（図示せず）のいずれかからシート状記録媒体（本実施形態では用紙）を取り込んで、その用紙の記録面上に画像を形成し（本実施形態では、インクジェット方式による印刷）、その画像が印刷された用紙を、複合機１の正面側に形成された排紙口２９から排出する構造を有している。
【００２２】
また、下側本体２ａの正面側には、デジタルカメラ等に着脱可能に装着され、撮影された画像データ等を記憶する各種記憶メディア（外部記憶装置の一例）を装着するためのカードスロット等からなる外部メモリインターフェース（Ｉ／Ｆ）２３（入力手段の一例）が設けられ、また、下側本体２ａの側面側或いは背面側には、パラレルケーブルを介して外部のパーソナルコンピュータ等と画像データの入出力を行なうためのコネクタからなるパラレルＩ／Ｆ２５（図２参照）、及びＵＳＢケーブルを介してデジタルカメラ等の外部装置と画像データの入出力を行なうためのコネクタからなるＵＳＢＩ／Ｆ２７（図２参照：入力手段の一例）が設けられている。
【００２３】
一方、複合機１の上側本体２ｂに組み込まれた画像読取部５は、本体２と同様に、読取部本体５ａに対してカバー部５ｂを開閉可能に取り付けてなるクラムシェル型の開閉構造を有している。
【００２４】
そして、読取部本体５ａには、その上面に、長方形状のガラス板からなるプラテンガラス５１が設けられ、また、プラテンガラス５１の下方には、このプラテンガラス５１に沿って移動可能な読取ヘッド（図示せず）が設けられている。また、カバー部５ｂの上面には、原稿が排出される原稿排出口２１、原稿を挿入するための原稿挿入口２２が設けられている。また、カバー部５ｂの内部には、原稿挿入口２２から挿入された原稿を、読取位置（図示せず）を経由して原稿排出口２１へ搬送する自動給紙部５３が設けられている。
【００２５】
つまり、画像読取部５は、プラテンガラス５１に載置された原稿を、読取ヘッドを移動させて走査することにより、原稿から画像を読み取るフラットベッド機構（ＦＢ）を用いた読み取りと、原稿排出口２１と原稿挿入口２２の間で原稿を移動させて、停止した読取ヘッドの読取位置を原稿が通過する際に画像を読み取る自動給紙機構（ＡＤＦ）を用いた読み取りとをいずれも可能なように構成されている。
【００２６】
また、上側本体２ｂの正面側には、複合機１が持つ複数の機能（ここでは、ファクシミリ機能、スキャナ機能、コピー機能、プリント機能）について、各種動作態様の設定や指示を入力するための操作パネル７（指定手段の一例）が設けられている。なお、動作態様とは、上記機能に関する実行内容や動作環境を含む各種条件のことである。
【００２７】
そして、操作パネル７には、数値を入力するためのテンキー７１，十字方向に方向を選択するためのカーソルキー７３，デフォルト状態で表示される初期メニュー画面を表示させたり、動作態様等を決定するための「Ｍｅｎｕ／Ｓｅｔ」ボタン７５など、各種入力や設定を行うためのボタンやスイッチと、各種メニュー項目が示されたメニュー画面や、利用者が入力した内容やエラー表示等を行なう液晶パネル７７とが設けられている。
【００２８】
つまり、利用者は、これらのボタンやスイッチを操作することにより、液晶パネル７７に所望の機能に対応したメニュー画面を表示させ、そのメニュー画面から各種メニュー項目を選択することで動作態様の設定、各種指令の入力、メニュー画面の切替などを行うことができる。
＜制御部の構成＞
次に、上述した画像形成部３，画像読取部５をはじめとする複合機１各部を制御する制御部８について説明する。
【００２９】
制御部８は、図２に示すように、ＣＰＵ８１、ＲＯＭ８２、ＲＡＭ８３を備えた周知のマイクロコンピュータを中心に構成され、これらに加えて、複合機１の各設定値や動作制御のための各種フラグ等を記憶する書換可能な不揮発性メモリであるＥＥＰＲＯＭ８４、外部端末との間で一般公衆回線を介して情報を送受信するためのネットワーク制御装置（ＮＣＵ）８５やモデム８６、画像形成部３，画像読取部５，自動給紙部５３，操作パネル７，外部メモリＩ／Ｆ２３，パラレルＩ／Ｆ２５，ＵＳＢＩ／Ｆ２７との間の各種信号の入出力を制御するＡＳＩＣ８７（Ａｐｐｌｉｃａｔｉｏｎ  Ｓｐｅｃｉｆｉｃ  Ｉｎｔｅｇｒａｔｅｄ  Ｃｉｒｃｕｉｔ）とが、バス８８を介して相互接続されている。
【００３０】
なお、ＲＯＭ８２には、複合機１各部の動作を制御するための制御プログラム、メニュー画面の表示を制御するためのメニュー画面表示プログラム等の各種プログラムの他、これらプログラムの実行に必要な設定や初期値、データ、ルックアップテーブル等の情報が記憶されている。
【００３１】
また、ＥＥＰＲＯＭ８４には、使用者により任意に設定される各種設定情報が記憶され、具体的には、二つの給紙トレイ（第１トレイ／第２トレイ）に収納される用紙に関する情報（用紙情報）を示すトレイ設定と、後述するダイレクト印刷にて用いられる各種情報を示すダイレクト印刷設定とが少なくとも記憶されている。
【００３２】
このうち、トレイ設定は、図３（ａ）に示すように、第１トレイ、第２トレイのそれぞれについて、各トレイに収納される用紙のサイズ（Ａ４／Ｂ５／Ａ５／Ｌ版など），向き（縦／横），材質（普通紙／光沢紙／厚紙など）などの設定が記憶されている。
【００３３】
なお、図３（ａ）には、トレイ１にはＡ４サイズの普通紙が縦向きに収納され、トレイ２にはＡ５サイズの光沢紙が横向きに収納される場合に設定される用紙情報の例が示されている。但し、用紙や画像は長方形であり、その向きは、長辺及び短辺の向きにより定義され、長辺が用紙搬送方向と平行なら縦向き、短辺が用紙搬送方向と平行なら横向きとされている。また、長辺及び短辺の向きが互いに一致していれば、用紙と画像は同じ向きであると定義されている。
【００３４】
一方、ダイレクト印刷設定は、図３（ｂ）に示すように、その一つの設定として印刷優先指定があり、ダイレクト印刷を実行する際に、画像の向きと用紙の向きとが不一致である場合に、印刷速度を優先する印刷（速度優先印刷）を実行するか、印刷された画像が可能な限り大きくなるようにサイズ（見栄え）を優先する印刷（サイズ優先印刷）を実行するかを、用紙のサイズ又は材質に応じて設定した優先情報（速度優先／サイズ優先）が少なくとも記憶されている。
【００３５】
また、優先情報は、用紙のサイズに応じて指定する場合、用紙サイズ毎に個別に指定する個別指定、又は、サイズ優先印刷を実行する上限の用紙サイズ（又は速度優先印刷を実行する下限の用紙サイズ）のみを指定サイズとして指定するしきい値指定のいずれかにて設定できるようにされ、用紙の材質に応じて指定する場合、その材質としては、普通紙、光沢紙が少なくとも用意されている。但し、用紙のサイズに応じて指定する場合、個別指定とするかしきい値指定とするかは、別途、使用者が選択できるようにされている。
【００３６】
そして、図３（ｂ）には、用紙サイズがＡ４，Ｂ５では速度優先、Ａ５，Ｌ版ではサイズ優先とする個別指定、指定サイズをＡ５とするしきい値指定からなるサイズ別指定の例、及び、用紙の材質が普通紙であれば速度優先、光沢紙であればサイズ優先とする材質別指定の例が示されている。
【００３７】
つまり、図３（ｂ）に示した例では、個別指定の場合は、印刷サイズ優先に設定された用紙サイズＡ５，Ｌ版、しきい値指定の場合は、指定サイズであるＡ５以下の用紙サイズＡ５，Ｌ版、材質別指定の場合は、印刷サイズ優先に設定された光沢紙が、それぞれ本発明における指定種類となる。
【００３８】
そして、これらトレイ設定（用紙情報）及びダイレクト印刷設定の印刷優先指定（優先情報）は、操作パネル７を操作することにより、又はパラレルＩ／Ｆ２５にパラレルケーブルを介して接続されたパーソナルコンピュータを介して任意に設定される。
＜ＣＰＵによる制御＞
ＣＰＵ８１は、ＲＯＭ８２に記憶されたメニュー画面表示プログラムを実行することにより、上述の用紙情報や優先情報をはじめとする各種設定を、操作パネル７を介して使用者に設定させたり、操作パネル７を介して入力される指令や上記設定制御での設定内容に従って、制御プログラムを実行して、複合機１の各部を制御することにより、複合機１が持つ機能（ファクシミリ機能、スキャナ機能、コピー機能、プリント機能）を実現する。
【００３９】
ここで、ＣＰＵ８１がプリント機能の一つとして実行するダイレクト印刷処理について、図４に示すフローチャートに沿って説明する。
なお、ダイレクト印刷処理は、図５（ａ）に示すように、デジタルカメラ１００をＵＳＢケーブルを介して複合機１のＵＳＢＩ／Ｆ２７に接続した状態とするか、或いは、デジタルカメラ１００に着脱自在に装着される記憶メディアを、外部メモリＩ／Ｆ２３に装着した状態とし、操作パネル７を操作して、複合機１の動作モードを、ダイレクト印刷を実行するモードに切り替え、用紙を給紙するトレイを指定し、更に、印刷開始指令を入力することで起動される。
【００４０】
本処理が起動すると、ＣＰＵ８１は、まず、外部メモリＩ／Ｆ２３を介して記憶メディアから、又はＵＳＢＩ／Ｆ２７を介してデジタルカメラ１００から画像データを読み込み（Ｓ１１０）、その読み込んだ画像データから、その画像データに基づいて生成される画像の縦横サイズに関する情報を取得し、画像の向きを特定する（Ｓ１２０）と共に、ＥＥＰＲＯＭ８４から、印刷に使用される給紙トレイについての用紙情報のうち、用紙の向きを示す情報を取得する（Ｓ１３０）。なお、画像の縦横サイズに関する情報としては、例えば、縦横の画素数を用いることができる。
【００４１】
そして、画像の縦横サイズから特定される画像の向きと、取得した用紙の向きとが一致しているか否かを判断し（Ｓ１４０）、両者の向きが一致していれば（Ｓ１４０：ＹＥＳ）、用紙サイズに合わせて画像を拡大又は縮小し（Ｓ２００）、そのまま印刷を実行して（Ｓ２１０）本処理を終了する。
【００４２】
一方、両者の向きが不一致であれば（Ｓ１４０：ＮＯ）、ＥＥＰＲＯＭ８４から取得した用紙情報のうち、用紙の材質を示す情報に基づいて、その材質に対応した優先情報を取得し（Ｓ１５０）、その取得した優先情報がサイズ優先であるか否かを判断する（Ｓ１６０）。
【００４３】
優先情報がサイズ優先ではない、即ち、速度優先であると判定された場合（Ｓ１６０：ＮＯ）、今度は用紙情報のうち、用紙のサイズを示す情報に基づいて、そのサイズに対応した優先情報を取得し（Ｓ１７０）、その取得した優先情報がサイズ優先であるか否かを判断する（Ｓ１８０）。
【００４４】
そして、取得した優先情報がサイズ優先ではない、即ち、速度優先であると判定された場合は（Ｓ１８０：ＮＯ）、画像の向きを変更することなく、用紙サイズに合わせて画像を拡大又は縮小し（Ｓ２００）、画像の向きと用紙の向きが不一致のまま印刷を実行する（Ｓ２１０）。
【００４５】
また、先のＳ１６０又はＳ１８０のいずれかにて、優先情報がサイズ優先であると判定された場合は（Ｓ１６０：ＹＥＳ、又はＳ１８０：ＹＥＳ）、画像を９０°回転して画像の向きが用紙の向きと一致するように画像データを変換するデータ変換処理を実行し（Ｓ１９０）、画像の向きと用紙の向きとを一致させた状態で、用紙サイズに合わせて画像を拡大又は縮小し（Ｓ２００）、印刷を実行して（Ｓ２１０）、本処理を終了する。
【００４６】
つまり、用紙と画像の向きが不一致である場合、印刷に使用する用紙のサイズ又は材質のいずれか一方でも、そのサイズや材質に対応して設定された優先情報がサイズ優先である場合には、図５（ｂ）の右下図に示すように、画像を回転する処理が実行され、画像の向きを用紙の向きに一致させた状態での印刷（サイズ優先印刷）が実行される。また、用紙のサイズ及び材質に対応して設定された優先情報がいずれも速度優先である場合には、図５（ｂ）の左下図に示すように、画像を回転する処理が実行されることはなく、画像の向きが用紙の向きと不一致のままでの印刷（速度優先印刷）が実行される。
【００４７】
また、画像の拡大／縮小は以下のように行う。
画像の印刷向き確定後、用紙の幅と画像の幅の比率を横倍率（＝用紙の幅／画像の幅）、用紙の高さと画像の高さの比率を縦倍率（＝用紙の高さ／画像の高さ）として、横倍率と縦倍率のうち、値の小さいほうを倍率として画像の幅、高さともに拡大（又は倍率が１より小さい場合は縮小）を行う。
【００４８】
但し、用紙および画像の幅とは、用紙搬送方向に垂直な方向の画素数によって表され、用紙および画像の高さとは、用紙搬送方向に平行な方向の画素数によって表される。
なお、本実施形態において、Ｓ１１０が入力手段、Ｓ１２０が画像方向特定手段、Ｓ１３０が媒体特定手段、Ｓ１４０，Ｓ１９０が変換手段、Ｓ１５０〜Ｓ１８０が禁止手段、Ｓ２１０が印刷手段の一例を表している。
＜効果＞
以上説明したように、複合機１では、ダイレクト印刷を実行する時に、読み込んだ画像データから特定される画像の向きが、印刷に使用する用紙の向きと不一致である場合に、その用紙のサイズや材質が、優先情報によってサイズ優先に設定されたものに該当する場合にのみ、データ変換処理を許容するサイズ優先印刷を実行し、それ以外の場合は、データ変換処理を禁止する速度優先印刷を実行するようにされている。
【００４９】
従って、複合機１によれば、印刷された画像を最大限の大きさとする（見栄えを良くする）必要がある用紙の種類（本実記形態では、サイズが小さい（Ａ５，Ｌ版）か、材質が写真用（光沢紙））の優先情報をサイズ優先に設定するか、速度を優先させる必要がある用紙の種類の優先情報を速度優先に設定することにより、常に、用紙の種類に応じた好ましい印刷方法にて印刷を実行することができる。
【００５０】
また、複合機１によれば、用紙情報や優先情報を、操作パネル７を介して使用者が設定できるようにされているため、用紙情報を得るための特別なセンサを設ける必要がなく、また、用紙の種類に応じた印刷方法を使用者が任意に指定することができる。
＜他の実施形態＞
以上、本発明の一実施形態について説明したが、本発明は上記実施形態に限定されるものではなく、本発明の要旨を逸脱しない範囲において様々な態様にて実施することが可能である。
【００５１】
例えば、上記実施形態では、本発明を複合機１に適用した例を示したが、複合機１に限るものではなく、プリンタ機能を有し、且つデジタルカメラや記憶メディアから画像データを直接読み取るためのインターフェースを有するものであれば、どのような装置に適用してもよい。
【図面の簡単な説明】
【００５２】
【図１】複合機の外観を示す斜視図。
【図２】複合機の各部を制御する制御部の構成を示すブロック図。
【図３】（ａ）が用紙情報の設定内容を示す説明図、（ｂ）が優先情報の設定内容を示す説明図。
【図４】ダイレクト印刷処理の内容を示すフローチャート。
【図５】（ａ）がダイレクト印刷処理の実行環境を示す説明図、（ｂ）がデータ変換処理の実施の有無による印刷結果の相違を示す説明図。
【符号の説明】
【００５３】
１…複合機、２…本体、２ａ…下側本体、２ｂ…上側本体、３…画像形成部、５…画像読取部、５ａ…読取部本体、５ｂ…カバー部、７…操作パネル、８…制御部、２１…原稿排出口、２２…原稿挿入口、２３…外部メモリＩ／Ｆ、２５…パラレルＩ／Ｆ、２７…ＵＳＢＩ／Ｆ、２９…排紙口、５１…プラテンガラス、５３…自動給紙部、７１…テンキー、７３…カーソルキー、７５…ボタン、７７…液晶パネル、８１…ＣＰＵ、８２…ＲＯＭ、８３…ＲＡＭ、８４…ＥＥＰＲＯＭ、８５…ＮＣＵ、８６…モデム、８７…ＡＳＩＣ、８８…バス、１００…デジタルカメラ。
【図１】
2007235361.tif 000003
【図２】
2007235361.tif 000004
【図３】
2007235361.tif 000005
【図４】
2007235361.tif 000006
【図５】
2007235361.tif 000007